(57)【要約】      （修正有）【課題】バネを使用しないで、ネジ応用の突張棒の技術を提供する。【解決手段】軸受に、軸受止と鍔を設けた回転体を挿入して回転手段を形成し、次にこの回転手段は小パイプ６の端部より内部へ、軸受から挿入していき、鍔により端部で挿入が止められて設ける、さらにこの小パイプ６の端部に、鍔と共に包み込むように、キャップ８を挿入して設ける、またテーパー部と雄ネジ部を設けた棒体を、円柱台の中心に固定して設け、パイプ固定基体を形成する、次に円柱台の外周部分を小パイプ６の、前記端部の反対側の端部内部に挿入して、カシメて装着固定する。【選択図】図１
2009162373.tif 000002
【特許請求の範囲】
【請求項１】
軸受（１）に、軸受止（４）と鍔（３）を設けた回転体（２）を挿入して回転手段（５）を形成し、次にこの回転手段（５）は小パイプ（６）の端部（７）より内部へ、軸受（１）から挿入していき、鍔（３）により端部（７）で挿入が止められて設ける、さらにこの小パイプ（６）の端部（７）に、鍔（３）と共に包み込むようにキャップ（８）を挿入して設ける、またテーパー部（９）と雄ネジ部（１０）を設けた棒体（１１）を、円柱台（１２）の中心に固定して設け、パイプ固定基体（１３）を形成する、次に円柱台（１２）の外周部分を小パイプ（６）の、前記端部の反対側の端部内部に挿入して、カシメて装着固定する、さらには内周溝（１４）の一部が雌ネジ部（１５）として設けられ、また雌ネジ部（１５）以外の内周溝（１４）部分には、適当なる割溝（１６）が設けられ、２分割片で一対と成す、パイプ固定手段（１７）を形成する、そしてこれを前記パイプ固定基体（１３）に、雄雌ネジ山を合わせて、棒体（１１）を挟み込んで装着し、この状態でパイプ固定手段（１７）の外周部から、大パイプ（１８）の内部に挿入していき、同時にこれらを設けた小パイプ（６）も大パイプ（１８）に挿入装填される、そしてつぎに大パイプ（１８）の端部（７）に、キャップ（８）を挿入して設け、最後に大パイプ（１８）と小パイプ（６）に設けた、キャップ（８）に、それぞれにキズ防止クッションキャップ（１９）を装着して設ける、これら特徴をもった構成よりなる、ネジを利用した突張棒。
【発明の詳細な説明】
【技術分野】
【０００１】  本発明は、バネを使わない利便性の高い、突っ張り棒の技術に関するものである。
【背景技術】
【０００２】  従来、突っ張り俸は簡単な竿の変わりになる等で、多く利用されるようになった。本発明は特開２００１−１１２５６１「弾性伸縮棒」・特許登録第３６３１４２１号「興和工業株式会社」の自社製品を改良して開発されたもので、バネを使わないで、ごく普通の平行ネジを利用して、簡単な構造に構成したものである。また、最近では突っ張り棒としてではないが、特開平１０−３０６１７「ジョイント機構」のごとく、難しいテーパーネジを利用して、パイプ同士をジョイントするものや、同じく突っ張り棒としてではないが、特開２００４−３２９３９５「室内用物干し等に於ける吊掛棒の長さ調整機構」があるが、やはり高コストのテーパーネジを利用したものである。
【発明の開示】
【発明が解決しようとする課題】
【０００３】  このようにいろいろな開示技術も含めて、その他にも各種の突っ張り棒が提案されている。バネを利用したものは、壁等に突っ張る場合に強くバネを圧縮する必要があり、その反発力に打ち勝つ為になんらかの力が必要になるので、非力な利用者には極めて扱いにくく、またバネはだんだん劣化してバネ力が低下してくる欠点がある。
これら問題点を改善するために本発明はなされたのである。
【課題を解決するための手段】
【０００４】  この課題を解決する手段として、バネを一切使用しない構成とする。またネジ部分は極普通の平行ネジを使用する。まず図３、図４のごとく小パイプ（６）の内径に合わせた軸受（１）に、軸受止（４）と小パイプ（６）の外径に合わせた、鍔（３）を設けた回転体（２）を挿入して、回転手段（５）を形成する。次にこの回転手段（５）は小パイプ（６）の端部（７）より内部へ、軸受（１）から挿入していき、鍔（３）により該パイプの端部（７）で挿入が止められて設ける。さらにこの小パイプ（６）の端部（７）に、小パイプ（６）の外径に面合わせした、鍔（３）と共に包み込むように、キャップ（８）を挿入して設ける。またさらに、図２、図５、図６に示す通りテーパー部（９）と平行ネジでタップされた、雄ネジ部（１０）を設けた棒体（１１）を、円柱台（１２）の中心に固定して設けて、パイプ固定基体（１３）を形成する。次に円柱台（１２）の外周部分を、小パイプ（６）の、前記端部と反対側の端部内部に挿入して、カシメて装着固定する。さらに図５、図６で説明すると内周溝（１４）の一部が普通の平行ネジで形成した、雌ネジ部（１５）と、適当なる割溝（１６）を設けた平行部（２０）からなり、これが２分割片で一対と成す、パイプ固定手段（１７）を形成する。そしてこれをパイプ固定基体（１３）に、雄雌ネジ山を合わせて、棒体（１１）に挟み込んで装着し、この状態でパイプ固定手段（１７）の外周部から、大パイプ（１８）の内部に挿入していき、同時にこれらを設けた小パイプ（６）も大パイプ（１８）に挿入装填される、そしてつぎに大パイプ（１８）の端部（７）に、キャップ（８）を挿入して設け、最後に大パイプ（１８）と小パイプ（６）に設けた、キャップ（８）に、それぞれにキズ防止クッションキャップ（１９）を装着して設ける。
【発明の効果】
【０００５】  １．小パイプを捩るだけで、突張パイプの伸縮が自在に出来、壁（２１）などには強力に締め付けて装着固定出来る。
２．棒両端にクッションキャップを備えているので、壁などにキズを付けない。
３．構造が簡単であるのでローコストに生産出来る。
４．バネを使わないので締付け力の劣化は生じない。
【発明を実施するための最良の形態】
【０００６】  本発明によれば、バネを一切使用しない構成がベストであり、またネジ部分は極普通の平行ネジを使用することで、大幅なコストダウンを計った。まず図３、図４のごとく小パイプ（６）の内径に合わせた軸受（１）に、軸受止（４）と小パイプ（６）の外径に合わせた、鍔（３）を設けた回転体（２）を挿入して、回転手段（５）を形成する。この回転手段（５）によって、強く壁等を突張っりながら、小パイプ（６）を、非力な人でも、軽く滑らかに捩り回せるのである。次にこの回転手段（５）を、小パイプ（６）の端部（７）より内部へ、軸受（１）から挿入していき、鍔（３）により該パイプの端部（７）で挿入を止められて、小パイプ（６）に装着設けられる。
さらにこの小パイプ（６）の端部（７）に、小パイプ（６）の外径に面合わせした、鍔（３）と共に包み込むように、キャップ（８）を挿入して設ける。
またさらに、図２、図５、図６に示す通り、テーパー部（９）と平行ネジでタップされた、雄ネジ部（１０）を設けた棒体（１１）を、円柱台（１２）の中心に固定して設けて、パイプ固定基体（１３）を形成する。次に円柱台（１２）の外周部分を、小パイプ（６）の、前記端部と反対側の端部内部に挿入して、カシメて装着固定する。さらに図５、図６で説明すると、内周溝（１４）の一部が普通の平行ネジで形成した、雌ネジ部（１５）と、適当なる割溝（１６）を設けた平行部（２０）からなり、これが２分割片で一対と成す、パイプ固定手段（１７）を形成する。そしてこれをパイプ固定基体（１３）に、雄雌ネジ山を合わせて、棒体（１１）に挟み込んで装着し、この状態でパイプ固定手段（１７）の外周部から、大パイプ（１８）の内部に挿入していき、同時にこれらを設けた小パイプ（６）も大パイプ（１８）に挿入装填される、そしてつぎに大パイプ（１８）の端部（７）に、キャップ（８）を挿入して設け、最後に大パイプ（１８）と小パイプ（６）に設けた、キャップ（８）に、それぞれにキズ防止クッションキャップ（１９）を装着して設ける。
本発明は以上のような構成であり、これを使用実施するときには、【０００７】  本発明は、大パイプ（１８）と小パイプ（６）の組合わせの棒であるが、まず小パイプのネジを緩めておく。この状態は、パイプ固定基体（１３）に取付けた、パイプ固定手段（１７）のネジを緩めることである。つまり、パイプ固定基体（１３）の、棒体（１１）の雄ネジ部（１０）にネジ山合わせに装着してる、パイプ固定手段（１７）の雌ネジ部（１５）を、ネジが抜ける方向に回すことである。これにより、棒体（１１）のテーパー部（９）のクサビから、内周溝（１４）が解放される。つまり大パイプ（１８）の内壁に、クサビで打込れた現象と同様に割溝（１６）が開き、パイプ固定手段（１７）の外径が膨張してロックしていた状態から、パイプ固定手段（１７）の外径が縮り解放されて、小パイプ（６）が大パイプ（１８）中を、自在に伸縮する状態になる。つぎに、図１のごとく壁に小パイプ（６）および大パイプ（１８）を手で伸ばして突っ張らさせて、この状態で小パイプ（６）を捩り回動すると、パイプ固定手段（１７）の雌ネジ部（１５）を、棒体（１１）の雄ネジ部（１５）が回動して、ねじ山を移動し、さらにテーパー部（９）が内周溝（１４）にクサビ状態で食い込んでいき、それと同時にパイプ固定手段（１７）が割溝（１６）と共に、外径が膨らみ、これらをねじ込むごとに、大パイプ（１８）の内壁を圧しつけながらパイプ全体も伸びるので、強力に壁に装着できる。
【図面の簡単な説明】
【０００８】
【図１】  本発明の実施図である。
【図２】  本発明のＡ−Ａ断面図である。
【図３】  本発明のＢ−Ｂ断面図である。
【図４】  本発明の回転手段の構成斜視図である。
【図５】  本発明のパイプ固定基体とパイプ固定手段の斜視組立図である。
【図６】  本発明のパイプ固定手段の説明斜視図である。
【符号の説明】
【０００９】    １  軸受
２  回転体
３  鍔
４  軸受止
５  回転手段
６  小パイプ
７  端部
８  キャップ
９  テーパー部
１０  雄ネジ部
１１  棒体
１２  円柱台
１３  パイプ固定基体
１４  内周溝
１５  雌ネジ部
１６  割溝
１７  パイプ固定手段
１８  大パイプ
１９  キズ防止クッションキャップ
２０  平行部
【図１】
2009162373.tif 000003
【図２】
2009162373.tif 000004
【図３】
2009162373.tif 000005
【図４】
2009162373.tif 000006
【図５】
2009162373.tif 000007
【図６】
2009162373.tif 000008